(57)【要約】      （修正有）【課題】高耐久性且つ長寿命であるのと同時に、ピアノの音質の向上及びダイナミックレンジの増大をもたらす改良されたピアノハンマーを提供する。【解決手段】ピアノハンマーは、両側面を画定するノーズ部１４と、ノーズ部の周囲に延在するフェルトカバー１６であって、フェルトカバーのテール部が両側面に固定される、フェルトカバーと、を有する細長いハンマーヘッド１２を備える。フェルトカバーは、ピアノの弦を打つトップ領域からフロント領域及びバック領域まで略楕円形の周囲面を画定する。細長い単層又は２重層の条片が、フェルトカバーの周囲面のトップ領域上に配置され、フロント領域及びバック領域に沿ってハンマー赤道を越えるポイントまで延在する。この条片又はボイシングテープの層は、合成不織布材料で作られる。【選択図】図５
2009217233.tif 000002
【特許請求の範囲】
【請求項１】
両側面を画定するノーズ部と、該ノーズ部を囲むフェルトカバーであって、該フェルトカバーのテール部が前記両側面に固定される、フェルトカバーと、を有する細長いハンマーヘッドを備えるピアノハンマーであって、前記フェルトカバーは、ピアノの弦を打つハンマーのトップから、この領域から離れ、「赤道」と呼ばれる前記ハンマーのフロント及びバックとの間にある最も広いポイントを通り、前記テール部の末端部まで延在する略楕円形の周囲面を画定する、ピアノハンマーにおいて、改良が前記フェルトカバーの周囲面上に配置される細長ボイシングテープを含み、該細長ボイシングテープは、その両端部において前記フェルトカバーに熱で接着され、前記ピアノの弦を打つ領域から、前記ハンマーのフロント及びバックに沿って前記赤道を越えるポイントまで延在し、熱可溶性接着剤が片面にコーティングされた合成不織布材料で構成され、水及び他のダメージに対して耐性を有し、ピアノを永久的に再整音し、全鍵に適用される場合、ピアノを小音化し、ダイナミックレンジを拡張させる、ピアノハンマー。
【請求項２】
前記ボイシングテープの幅は、前記フェルトカバーの幅に略等しい、請求項１に記載のピアノハンマー。
【請求項３】
前記ボイシングテープは柔らかく滑らかなテクスチャを有する、請求項１に記載のピアノハンマー。
【請求項４】
前記フェルトカバーは、少なくとも部分的に、前記テール部を前記ノーズ部に固定するステープルにより前記ノーズ部上に保持され、前記ボイシングテープは、前記ハンマーのフロント側及びバック側の両方において前記ステープル付近のポイントまで延在する、請求項１に記載のピアノハンマー。
【請求項５】
前記ボイシングテープは、前記ハンマーのフロント側及びバック側の両方において前記ステープルを覆う、請求項４に記載のピアノハンマー。
【請求項６】
前記ボイシングテープは単層又は２重層のいずれか一方である、請求項１に記載のピアノハンマー。
【請求項７】
前記２重層ボイシングテープは、第１の層の上により薄い第２の層がある構造及び既製の２重層構造のうちの一方で構成される、請求項６に記載のピアノハンマー。
【請求項８】
前記ボイシングテープは、該テープの各端部のみに隣接するエリアに配置される熱可溶性接着剤により前記フェルトカバーに取り付けられる、請求項６に記載のピアノハンマー。
【請求項９】
前記接着エリアは、前記ボイシングテープの各端部から前記テープの他端部まで延在するが、その両端部のみが前記フェルトカバーに熱で接着される、請求項８に記載のピアノハンマー。
【請求項１０】
前記合成不織布材料は、登録商標名Ｐｅｌｌｏｎの下で販売されている材料である、請求項１に記載のピアノハンマー。
【請求項１１】
前記ボイシングテープは、非圧縮時は約０．０１５インチ−約０．０２５インチ厚であり、圧縮時は約０．００４インチ−０．００７インチ厚である、請求項１に記載のピアノハンマー。
【請求項１２】
前記ボイシングテープの長さは、前記ハンマーのフロント側及びバック側の両方において前記赤道よりも下で前記ハンマーに熱で接着することができるように、約２インチ−約４インチである、請求項１に記載のピアノハンマー。
【発明の詳細な説明】
【技術分野】
【０００１】
本発明は、グランドピアノ（「ピアノフォルテ」）であれ、アップライトピアノであれ、任意の種類のピアノ機械的動作に使用される種類の改良されたピアノハンマーに関する。特に、本発明は、音質の向上、ダイナミックレンジの向上、及びハンマー耐久性の向上に繋がるピアノハンマーの打弦表面上の新規のカバーに関する。
【背景技術】
【０００２】
ピアノにおける機械的動作の極めて重要な動作構成要素の1つは、ピアノの１本又は複数本の弦を打つハンマーである。ピアノの各音の音質はハンマーの構造及び密度にかなり大きく依存するため、ハンマー、特にその接触面を改良する多くの試みがなされてきた。
【０００３】
ピアノハンマーは従来、普通は楔形状のノーズ部を有する、普通は木製の細長い「ハンマーヘッド」を含む。フェルトカバーがノーズ部を囲み、テール部が、普通は接着剤及び補強ステープルを使用してノーズ部の両側面に固定される。このようなフェルトカバーは、ピアノの弦を打つ領域であるハンマーの上部から、そしてこの領域から離れてハンマーのフロントとバックとの間の最も広いポイント（以下、ハンマーの「赤道」と呼ぶ）を通ってテール部の末端に延在する略楕円形の周囲面を画定する。（ハンマーの「トップ」、「フロント」、及び「バック」がグランドピアノに設置されるハンマーの各側を指すことが理解されよう）。この用語を以下において使用するが、ハンマーはアップライトピアノに取り付けられる場合もあり、この場合、「トップ」はハンマーの「フロント」になり、「フロント」及び「バック」はそれぞれ「ボトム」及び「トップ」になる）。時間の経過に伴い、フェルトカバーは一般に、トップ領域において、連続使用下でピアノの音を損なう程度まで摩耗し、且つ／又は圧縮されて硬化する。このため、摩耗及び他のダメージに対して高い耐性を有するフェルトカバー材料を見つける試みがなされてきた。
【０００４】
Ｊｏｈｎｓｏｎに付与された米国特許公報第３，４８７，４２９号には、羊毛繊維と熱可塑性繊維との混合物で構成される打弦部材を形成するフェルトカバーを有するピアノハンマーが開示されている。このフェルトカバーは耐久性があると言え、ピアノの異なる音域に「制御された密度」で形成することができる。
【０００５】
Ｈａｙａｓｈｉｄａに付与された米国特許公報第４，１３５，４３０号には、木製ベース、打弦ヘッド、及び木製ベースの端部を囲み、打弦ヘッドを覆う外部「保護カバー」を備える簡易化されたピアノハンマーが開示されている。打弦ヘッドは、ポリウレタン等の弾性材料で作られる比較的薄い条片である。保護カバーは、「鹿皮又は人工皮革等の保護材料」で作られる。
【０００６】
Ｌｏｍｂｉｎｏに付与された米国特許公報第５，１２５，３１０号には、「ノーズ部」を有する細長い木製ヘッド及びノーズ部周辺に延在する平坦な本体を備えるピアノハンマーが教示されている。フェルト本体のテール部は、ノーズ部の側面に固定される。フェルト本体は、１００％羊毛で作られる「アウターフェルト」及び「アンダーフェルト」で構成される。この特許は、アウターフェルトの両側が、アクリル共重合体を含む水溶液に含浸される製造方法を対象としている。
【発明の開示】
【発明が解決しようとする課題】
【０００７】
本発明の主な目的は、従来技術のピアノハンマーよりも高耐久性且つ長寿命であるのと同時に、ピアノの音質の向上及びダイナミックレンジの増大をもたらす改良されたピアノハンマーを提供することで、本発明者の初期の特許である米国特許第７，２６２，３５１号を改良することである。本発明は、毎年のメンテナンス費を劇的に低減しながら、ピアノ演奏者及びピアノ所有者の毎日の頭痛の種／懸案事項の多くに対する比較的単純な解決策を提供する。
【課題を解決するための手段】
【０００８】
この目的ならびに以下の考察から明らかになる他の目的は、フェルトカバーの周囲面の、少なくともピアノの弦を打つ領域に配置される材料の細長い条片を、従来のフェルトでカバーされたピアノハンマーに提供することにより、本発明により達成される。この条片は、以下において「ボイシングテープ（ｖｏｉｃｉｎｇ  ｔａｐｅ：整音テープ）」と呼ばれることもあり、合成不織布材料、好ましくはノースカロライナ州ダラム（Ｄｕｒｈａｍ）に所在のＦｒｅｕｄｅｎｂｅｒｇ  Ｎｏｎｗｏｖｅｎｓ，ＬＰ製造販売の材料であり、登録商標名「Ｐｅｌｌｏｎ」の下で販売される種類の合成不織布材料で構成される。これは微細な熱可塑性糸で形成され、この熱可塑性糸で不織布が作られる。
【０００９】
ボイシングテープは、（１）単層の薄い、中薄手の、又は中厚手の織物、（２）第１の層上のより薄い第２の層、又は（３）既製の２層構造で作られる。２つの層が使用される場合、２つの層は新規の方法で共に接着されて、複合二重層条片又は一体構造になり、次に、これがピアノハンマーに適用される。
【００１０】
好ましくは、新規の細長条片は、ピアノの弦を打つ領域であるハンマーのトップから、この領域から下向きに離れ、本明細書ではハンマーの「赤道」と呼ぶハンマーのフロントとバックとの間にある最も広いポイントまで延在する。条片の両端部は、条片の端部エリアに配置される熱で溶ける接着剤によりフェルトカバーに取り付けられる。これらの各接着エリアは、条片の一端部から少なくとも短い距離にわたって条片の中央に向かって延び、この距離は少なくとも条片の幅におおよそ等しい。
【００１１】
フェルトカバーに取り付けられると、細長条片の接着エリアは、ハンマーの赤道と両側のカバーの底部末端部の、木製ノーズ部が露出されたままであるポイントとの間に配置される。フェルトカバーを所定位置に保持するステープルを有するハンマーの場合、細長条片は、好ましくは、ステープルを超えて短い距離にわたって延在して、ステープルを覆う。好ましくは、細長条片の幅は、フェルトカバーの幅に略等しい。
【００１２】
上述したように位置決めされ、取り付けられると、細長条片又は２重層条片は、ピアノの低音部の最大ハンマーではおおよそ４インチであり、その長さから徐々に又は段々と小さくなって高音部の最小ハンマーではおおよそ２インチ長である。
【００１３】
Ｐｅｌｌｏｎ材料は、薄手、中程度の厚さ、厚手、硬いテクスチャ、柔らかいテクスチャという多くの異なる等級で市販されており、熱で溶ける接着剤がすでに片側にコーティングされているものもあれば、されていないものもある。好ましくは、細長条片のおおよその厚さが非圧縮時に０．０１５インチ−０．０２５インチの範囲内であり、圧縮時に０．００４インチ−０．００７インチの範囲内であるように、中薄手又は中程度の厚さが使用される。また好ましくは、柔らかい、中程度の柔らかさ、及び／又は滑らかなテクスチャが使用される。
【００１４】
接着剤コーティングが片面に均等に噴霧された（したがって、条片の両端部のみならず条片の全長がコーティングされる）アイロン可溶性織物が使用される場合、熱を加えるのは各条片の両端部のみであるべきである。使用すると決めた不織布が可溶性接着剤コーティングを有していない場合、アイロン可溶性接着剤を条片の両端部のテフロン（Ｔｅｆｌｏｎ）コーティング表面上に追加することができる（これは、不織布を条片に切断する前に行われるべきである）。
【００１５】
ボイシングテープがおおよそどの程度の長さであるべきかについての説明に関して、ステープルが覆われるのは単に美観のためである。テープは、ステープルが見える場合も全く同様に機能する。重要なポイントは、条片が、接着剤がハンマーの最も厚い部分である赤道の上に適用されないように十分長いことである。このようにすれば、接着剤は音質に影響しない。
【００１６】
不織布条片をハンマーヘッドに接着することと比較して、ボイシングテープをアイロンで溶かすプロセスは、はるかに容易且つ高速であり（ハンマー１個当たりでたった数秒）、取り外す、又は交換する必要がある際により容易かつより綺麗である。本発明者の先行特許（米国特許第７，２６２，３５１号）では、白色接着剤の使用を勧めたが、これは、接着剤が固まるまでテープで留める必要がある。接着剤の量は不熟練者には制御が困難であり、織物は、湿っぽい気候だと接着剤が乾燥する前にずれる傾向がある。条片はハンマーヘッドの周囲に適度に締まっている必要があるため、これは理想的ではない。
【００１７】
本発明の完全な理解のために、これより、添付図面に示す本発明の好ましい実施形態の以下の詳細な説明を参照すべきである。
【発明を実施するための最良の形態】
【００１８】
本発明の好ましい実施形態を図面の図を参照してこれより説明する。同一要素は同じ参照番号で示される。
【００１９】
図１−図４は、本発明者の初期の特許である米国特許公報第７，２６２，３５１号に開示され特許請求される本発明者による初期の発明を示し、米国特許公報第７，２６２，３５１号の内容全体を参照により本明細書に援用する。図１に示すように、ノーズ部１４と、接着剤及びステープルでノーズ部に固定されるフェルトカバー１６とを有する細長い木製ハンマーヘッド１２を備える従来のピアノハンマー１０。フェルトカバーは略楕円形の周囲面を画定する。周知のように、ピアノハンマーのフェルトカバーのトップ表面領域がピアノの弦（１本又は複数のピアノ線）を打ち、それにより楽音が生じる。
【００２０】
細長条件又は「ボイシングテープ」１８が、フェルトカバーの周囲面の、少なくともピアノの弦を打つ領域に配置される。この条片は、柔らかく滑らかなテクスチャの合成不織布材料、好ましくは中薄手又は中程度の重さのＰｅｌｌｏｎで作られる。
【００２１】
図１に見ることができるように、ボイシングテープの幅は、ハンマーのフェルトカバーの幅に略等しい。
【００２２】
本発明者の初期の発明によれば、ボイシングテープ１８は、条片の両端部に適用された接着剤、好ましくはＥｌｍｅｒの白色接着剤等の白色接着剤によりフェルトカバーに固定される。このような接着剤はボイシングテープを保持するのに十分な強度を有するが、後でテープを取り外して交換できるようなものである。ピアノの弦を打つハンマーのトップ付近の領域では、テープとハンマーのフェルトカバーとの間に接着剤は適用されない。
【００２３】
図２及び図３は、図１のハンマーヘッドを上面図及び平面図でそれぞれ示す。図３に最もよく見られるように、ハンマーヘッド１２のノーズ部１４は、通常は木製であり、両側面１５を有する。フェルトカバー１６のテール部１７は、接着剤と、大半の場合にはステープル２０とによりこれら両側面に固定される。図３において破線で示すように、このステープルはフェルトカバー及びノーズ部の内部を貫通する。好ましくは、フェルトカバー１６のテール部１７付近の領域にアクリル等の硬化材料を含浸して、ハンマー１２への接着を向上させるとともに、フォルテ又はフォルテシモを演奏時にハンマーに追加の支持及び強度を与える。木製ハンマーヘッド１２は、ピアノの機械的アクションにおいて木製シャンク２０により担持される。
【００２４】
図３に示す実施形態では、細長条片すなわちボイシングテープ１８が、フェルトカバーの周囲面の周りに、ハンマーのフロント面からバック面まで延在して、ピアノの弦を打つトップ領域を覆う。テープ１８が、ハンマーをその最も広いポイントで貫通するハンマーの「赤道」にある線２２を超えて延在することが好ましい。テープとフェルトカバーとの間の接着剤を、ハンマーの打弦領域から離れて、赤道よりも「下」に延びるテープのエリアに制限することも好ましい。このようにすれば、フェルトカバー及びボイシングテープのみが打弦に関わるため、接着剤はピアノの音に影響しない。
【００２５】
ピアノの低音部のハンマーの場合、ボイシングテープ１８は、好ましくは、ステープル２０をわずかに超えて下方に延在し、それによってステープルを覆う。ピアノの中音範囲では、ボイシングテープは、高音に向かって上方に進むにつれて、ハンマー上で徐々に下に到達することができる。高音領域では、ボイシングテープは、ハンマー上のフェルトカバーの周囲を完全に覆うことができる。
【００２６】
ハンマーのサイズ及び形状に応じて、細長条片又はボイシングテープ１８の長さは、好ましくは、＃１ハンマーではおよそ９−１０ｃｍ（４インチ）の範囲であり、徐々に低減して＃８８ハンマーではおよそ５−６ｃｍ（２インチ）であり、これらの中間にあるボイシングテープ１８の長さはハンマー毎に低減していく。細長条片の厚さは、好ましくは、非圧縮時は０．０１５インチ−０．０２５インチの範囲であり、圧縮時は０．００４インチ−０．００７インチの範囲である。
【００２７】
図４は、ボイシングテープ１８を平面図で示す。接着剤が適用されるエリア２４は、テープの各端部から、テープの中央に向かってテープの幅に略等しい距離にわたって延在する。
【００２８】
ピアノハンマーへのボイシングテープの適用は、ピアノが新しいか古いかに関係なく、ピアノの寿命中にいつでも行うことができる。古いピアノの場合、ボイシングテープをハンマーに適用する前に、ピアノの弦を打つフェルトカバーのトップ領域が、必要に応じてヤスリがけされて滑らかにされ、アイロンがけされて、ハンマーのそれまでの使用中に作られたいかなる溝等も取り除かれる。その後、接着剤が図４のボイシングテープ１８のエリア２４に適用され、テープをハンマーのフェルトカバー１６の周囲面の周りにきつく巻くことができる。ボイシングテープ１８は、接着剤、好ましくはＥｌｍｅｒの白色接着剤が完全に硬化するまで、スコッチ（Ｓｃｏｔｃｈ）商標テープ又はマスキングテープ等の短いテープ条片を使用して各端部に押さえつけられる。ピアノの音をより小さくする必要がある場合、部屋の音響及び／又は所有者の音楽的好みに応じて、ボイシングテープの第２の層を第１のボイシングテープの層の上に追加することが可能である。このボイシングテープの層化は、単層のより厚いテープを使用するよりも好ましいことが分かっている。
【００２９】
細長条片又は「ボイシングテープ」をピアノハンマーに適用することにより、ダイナミックレンジをｐｐｐｐからｆｆｆｆに増大しながら、ピアノが大幅に小音化され、音量が−１０ｄＢから−３０ｄＢ低減し、ピアノがよりピアノ演奏者のタッチに対してより応答的且つ敏感になることが分かっている。ボイシングテープは任意のピアノに適用することが可能であるが、その結果として得られる小音化は、大規模コンサートホール、雑音の多い環境、又は屋外環境にあるピアノに対しては常に望ましい又は適する訳ではないかもしれない。
【００３０】
さらに、ボイシングテープをピアノの各ハンマーに適用すると、これはすぐに音の均一化に繋がり、整音を常時必要としなくなる。実際に、テープはピアノに「永久的な整音」を提供する。さらに、ボイシングテープは、古い又は不良な品質の弦又はハンマーを交換する必要なく、ピアノの音質を向上させ、長期間にわたってピアノハンマーを保護する。ボイシングテープはまた、ピアノの不完全性にもかかわらず、ピアノのサウンドをより「心地よく」もする。換言すれば、本発明は、アーティストが毎日（一生を通じて）直面している多くの問題に対して実用的で経済的な解決策を提供する。
【００３１】
本発明による改良は、いかなる接着剤も使用しないことである。接着剤の使用に代えて、織物をハンマーヘッドにアイロン又は熱により接着される。ボイシングテープは、好ましくは、テープの片面にコーティングされた熱可溶性接着剤によりハンマーのフェルトカバーに取り付けられる。これは、テープを適用するプロセスをはるかに容易且つ高速にし（ハンマー１個当たりたった数秒）、取り外す又は交換する際により容易且つ綺麗である。本発明者の初期の発明は白色接着剤を使用したが、これは、接着剤が固まるまでテープで留めておく必要があった。接着剤の量は不熟練者には制御が困難であり、織物は、湿っぽい気候だと接着剤が乾燥する前にずれる傾向がある。条片はハンマーヘッドの周囲に適度に締まっている必要があるため、これは理想的ではない。
【００３２】
本発明によるボイシングテープは、（１）単層の薄い、中薄手の、又は中厚手の織物、（２）第１の層上のより薄い第２の層、又は（３）既製の２層構造で作られる。ボイシングテープは、合成不織布材料、好ましくは登録商標名「Ｐｅｌｌｏｎ」の下で販売される種類の合成不織布材料で構成される。２つの層が使用される場合、２つの層は新規の方法で共に接着されて、複合二重層条片又は一体構造になり、次に、これがピアノハンマーに適用される。
【００３３】
図５は、３０として示す新規のボイシングテープを有するピアノハンマーを示す。ボイシングテープは、図示のように、テープ３２及び３４という２層からなり、各テープの片面にはホットアイロン可溶性コーティングコーティングされている。ボイシングテープは２層として示されるが、単層のボイシングテープを上述したように使用することも可能である。２層テープを図６に示す。２層３２及び３４は、より厚くより硬い種類の内層３４上にあるより薄くより柔らかい不織布の外層３２からなる。別法として、中程度の厚さの柔らかい不織布の２層３２及び３４を使用し、第１の層３４を合成硬化剤で処理してから、第１の層３４を、処理なしの第２の層３２の下に配置することもできる。したがって、未処理の第２の層３２が露出するトップ層である。
【００３４】
一般に、２重層の適用はハンマーに追加の耐久性を与え、演奏者が単層適用の場合よりもさらに広い範囲の音色及び音楽的な機微を制御できるようにする。
【００３５】
ボイシングテープに適した柔らかく薄手から中厚手の不織布は、Ｐｅｌｌｏｎ（合成不織布）を製造する企業から得ることができる。上述したように、これらの織物条片の片面には、熱可溶性接着剤層３６がコーティングされる。テープ又は層３２及び３４は、トップテープ又はトップ層のコーティングされた熱可溶性接着剤層３６がテープ３２とテープ３４との間にある状態で、一方の層３２が他方の層３４の上に一緒に置かれる。コーティングされた熱可溶性層３６は、図６に示すように、下のテープ３４の底面に露出する。下層３４の底面コーティング３６が影響を受けないように、両テープの両端部４２は、図６においてハッチングして示すように、支持としてテフロン（Ｔｅｆｌｏｎ）表面を使用することにより３８において共にシーリングされる（もちろん、これは不織布を条片に切断する前に行われるべきである）。そして、結合された、すなわち複合テープ又は層３２及び３４は、接着された両端部３８の間にある両テープの中央部４０が自由である、すなわち一緒に接着されない状態で、まず下層３４のコーティング層３６の端部４２をフェルトカバー１６の一端部に熱でシーリングし、それから、フェルトへの良好な密着を保証するようにきつく引っ張りながら、結合又は複合テープの他端部４２をフェルトカバー１６に熱でシーリングすることにより、ハンマーのフェルトカバー１６に固定される。上述したように、テープ３２及び３４の各部分４０は、フェルトカバー１６に固定されるとき自由であり、一緒に接着されない。
【００３６】
どの方法（単層又は２重層）及びどの厚さの織物が所与の状況にとって最良であるかを判断するには、最も敏感で経験のある耳が必要である。部屋の音響、ピアノ演奏者のニーズ及び好み、聴力レベル、及び楽器自体の制限から判断して、ケースバイケースで判断する必要がある。
【００３７】
最初にボイシングテープを取り付けてから最初の５０時間程度の間、ボイシング条片は、ピアノが演奏されているときに圧縮され、音はいくらか明るくなり、テープがその小音効果の約「１／３」が失われた感覚を与える。（約５０時間：各音で少なくとも１０００回のフォルテシモの打鍵に相当する）。小量の純粋なアセトンをボイシングテープ上に適用することにより、この設定期間を１／１０に短縮することができる。
【００３８】
２層で構成されるボイシングテープを使用する場合、第２の層を固定する前に、第１の層の各ハンマー打弦表面を小量の硬化剤で処理すべきである。Ｓｃｈａｆｆ  Ｐｉａｎｏ  Ｓｕｐｐｌｙ  Ｃｏ．により販売される補強剤等のラッカーの含まれていないアセトンベースの補強剤をアセトンで（５−１０倍に）さらに希釈することが、この目的のために適しており、うまく働く。音をわずかに明るくする必要がある場合、同じ解決策を単層ボイシングテープにわたって使用することができるときもある。すべての場合において、すべて又はいくつかの音をわずかに柔らかくする必要がある場合、ボイシングテープを貫通して打弦表面下のフェルトを優しく針で刺してもよい（従来の整音方法）。
【００３９】
これら及び他の様々な理由により、工場取り付けの場合には単層ボイシングテープの使用が推奨され、大半の用途において、ボイシングテープのより薄い層をボイシングテープのより厚い第１の層の上に使用することが、既製の２重層構造よりも安全である。既製の２重層構造は非常に固いハンマーに適するが、真に経験のある人間によってのみ使用されるべきである。
【００４０】
こうして、得ようとするすべての目的及び利点を満たす、新規のピアノハンマーを図示し説明した。しかし、多くの変更、改変、変形、並びに本発明の他の使用法及び応用例が、本発明の好ましい実施形態を開示する本明細書及び添付の図面を検討した後に当業者に明らかになろう。本発明の精神及び範囲から逸脱しないこのような変更、改変、変形、並びに他の使用法及び応用例は、本発明に包含されるものとみなされ、本発明は添付の特許請求の範囲によってのみ制限されるべきである。
【図面の簡単な説明】
【００４１】
【図１】本発明者の初期の発明の1つによるボイシングテープが適用された従来技術によるピアノハンマーの斜視図である。
【図２】初期の発明によるボイシングテープを有する従来技術によるピアノハンマーの上面図である。
【図３】初期の発明による従来技術によるピアノハンマーの側面図である。
【図４】初期の発明によるボイシングテープの平面図である。
【図５】本発明による新規組成のボイシングテープが適用された新規のピアノハンマーの斜視図である。
【図６】ピアノハンマーに適用される前の新規組成のボイシングテープ構造の側面図である。
【符号の説明】
【００４２】
１０ピアノハンマー
１２ハンマーヘッド
１４ノーズ部
１５側面
１６フェルトカバー
１７テール部
１８ボイシングテープ
２０ステープル
２０シャンク
２２赤道
２４接着剤が適用されるエリア
３０新規のボイシングテープ
３２、３４テープ
３６熱可溶性接着剤層
４２テープの端部
３８接着された端部
４０テープの中央部
【図１】
2009217233.tif 000003
【図２】
2009217233.tif 000004
【図３】
2009217233.tif 000005
【図４】
2009217233.tif 000006
【図５】
2009217233.tif 000007
【図６】
2009217233.tif 000008